(57)【要約】【課題】どこでも手軽に楽しめ、また携行しやすいマージャン用具を提供することを目的とする。【解決手段】図絵が描かれたカード３０と、カード３０の図絵を遊戯者側に向けてカードを部分的に重ねて起立並列させる起立部１０と、起立部１０の前方にあってカード３０の図絵を上側にしてカード３０を部分的に重ねて載置並列させる捨て部２０を備える。起立部１０はカード３０を上方から挿入可能なすき間Ｇを隔てて立設された２個の起立体１２、１３から成り、起立体１２、１３のすき間側内面にカード３０の端面を押当してカード３０の並列方向の位置決めをする位置決め部１４、１５を設ける。また捨て部２０の上面にカード３０の端面を押当してカード３０の並列方向の位置決めをする位置決め部２２を設けた。【選択図】図２
2005230311.tif 000002
【特許請求の範囲】
【請求項１】
図絵が描かれたカードと、カードの図絵を遊戯者側に向けてカードを部分的に重ねて起立並列させる起立部と、この起立部の前方にあってカードの図絵を上側にしてカードを部分的に重ねて載置並列させる捨て部とから成り、前記起立並列及び載置並列の何れの状態においても、図絵を視認できるようにカードに描いたことを特徴とするカード式マージャン用具。
【請求項２】
前記起立部が、カードを上方から挿入可能なすき間を隔てて立設された起立体から成り、この起立体のすき間側内面にカードの端面を押当してカードの並列方向の位置決めをする位置決め部を設け、カードの端面を位置決め部に押当して部分的に重ねて起立並列させた状態で、その起立部の所有者がカードの図絵を手前側から視認できるようにしたことを特徴とする請求項１記載のカード式マージャン用具。
【請求項３】
前記捨て部が横長の長板状体から成り、その上面にカードの端面を押当してカードの並列方向の位置決めをする位置決め部を設け、カードの端面を位置決め部に押当して部分的に重ねて並列載置させた状態で、すべての遊戯者がすべての捨て部上のカードの図絵を視認できるようにしたことを特徴とする請求項１又は請求項２記載のカード式マージャン用具。
【請求項４】
図絵は、カードの少なくとも１つの対角線上の２つの角部に描かれていることを特徴とする請求項１乃至３のいずれかに記載のカード式マージャン用具。
【発明の詳細な説明】
【技術分野】
【０００１】
本発明は、カード式マージャン用具に関するものである。
【背景技術】
【０００２】
従来のマージャンは、箱形のパイと専用の座卓を用いて行われる遊戯であったため、マージャン用具は携行しにくいものであり、どこでも手軽に楽しめるというものではなかった。
【発明の開示】
【発明が解決しようとする課題】
【０００３】
そこで本発明は、どこでも手軽に楽しめ、また携行しやすいマージャン用具を提供することを目的とする。
【課題を解決するための手段】
【０００４】
本発明は、パイとして図絵が描かれたカードを用いる。そしてカードの図絵を遊戯者側に向けてカードを部分的に重ねて起立並列させる起立部と、この起立部の前方にあってカードの図絵を上側にしてカードを部分的に重ねて載置並列させる捨て部を有する。そして前記起立並列及び載置並列の何れの状態においても、図絵を視認できるようにカードに描いたものである。
【０００５】
また望ましくは、前記起立部が、カードを上方から挿入可能なすき間を隔てて立設された起立体から成り、この起立体のすき間側内面にカードの端面を押当してカードの並列方向の位置決めをする位置決め部を設け、カードの端面を位置決め部に押当して部分的に重ねて起立並列させた状態で、その起立部の所有者がカードの図絵を手前側から視認できるようにした。
【０００６】
また望ましくは、前記捨て部が横長の長板状体から成り、その上面にカードの端面を押当してカードの並列方向の位置決めをする位置決め部を設け、カードの端面を位置決め部に押当して部分的に重ねて並列載置させた状態で、すべての遊戯者がすべての捨て部上のカードの図絵を視認できるようにした。
【発明の効果】
【０００７】
また望ましくは、図絵は、カードの少なくとも１つの対角線上の２つの角部に描いたものである。
【０００８】
本発明は、パイとしてカードを用いることにより、どこでも手軽に楽しめ、また携行しやすいマージャン用具を実現できる。
【発明を実施するための最良の形態】
【０００９】
以下、図面を参照して本発明の最良の実施の形態を説明する。図１はマージャン中の平面図、図２は起立部の斜視図、図３は同平面図、図４は同正面図、図５は捨て部の斜視図、図６は同縦断面図、図７は同横断面図である。
【００１０】
図１において、１はテーブル（卓）であり、４人の遊戯者Ｐがマージャンをしている。テーブル１上の各遊戯者Ｐの前には、横長の起立部１０が置かれており、起立部１０の前方には横長の捨て部２０が置かれている。
【００１１】
まず、図２〜図４を参照して起立部１０を説明する。起立部１０は、板状の台部１１上に２個の長板状の起立体１２、１３をすき間Ｇを隔てて立設して成っている。起立体１２、１３のすき間側内面には、ノコ歯状若しくは階段状の位置決め部１４、１５が横方向に複数個形成されている。本発明で横方向とは、カード（後述）３０を並べる方向である。なお位置決め部１４、１５は何れか一方の起立体１２又は１３のすき間側内面に設ければよいが、本実施の形態のように２個の起立体１２、１３の何れにも設ければ、起立部１０の前後（遊戯者Ｐの手前側と向う側）の方向性をなくし、起立体１２又は１３の何れを遊戯者Ｐ側に向けてもよい。
【００１２】
３０（３０１、３０２・・・３０ｎ）はパイとして使用されるカードである。カード３０はトランプカードと同程度の扱いやすい寸法であり、一つの対角線上２つの角部に２個の図絵（中、東、西、北、一万、二万、三万等）が印刷手段などにより描かれている。図絵は、二つの対角線上の４つの角部に合計４個描いてもよいものであり、要は、カード３０を起立部１０や捨て部２０に並列した状態で、図絵が視認できるように、少なくとも１つの対角線上の２つの角部に描けばよい。勿論、カード３０は従来のパイと同種類のものが同数備えられている。カード３０は、すき間Ｇに上方から抜き差し自在に挿入可能になっている。
【００１３】
図４は、起立部１０のすき間Ｇに所定枚数のカード３０を挿入して起立並列させた状態を示している。カード３０は、図絵をその起立部１０の所有者である遊戯者Ｐに向けて挿入されている。カード３０は、その端面（側端面）を位置決め部１４又は１５に押し当てて位置決めして挿入されており、その状態で相隣るカード３０は互いに半分が部分的に重ねられて起立並列され、半分が手前側（遊戯者Ｐ側）に露呈し、その起立部１０を所有する遊戯者Ｐが手前側から視認できるようになっている。カード３０の略下半部は起立体１２、１３のすき間Ｇの内部にあるが、起立体１２、１３を透明な樹脂板などで製造すれば、そのカード３０の所有者Ｐは起立体１２、１３内のカード３０の下部の図絵も手前側から視認できる。
【００１４】
図５〜図６において、捨て部２０は横長の長板状の基体２１から成り、その上面にはノコ歯状若しくは階段状の位置決め部２２が横方向に複数個設けられており、上面に所定個数の載置面２３（２３１、２３２・・・２３ｎ）が確保されている。また捨て部２０の手前側縁部には、カード３０の下端面（手前側端面）の位置決め部としての棒状の突部２４が設けられている。また一方の側部に設けられた棒状の突部２５の内端面２５’は、カード３０の端面（側端面）の位置決め部となっている。
【００１５】
また各載置面２３の中央部には、カード３０の下端面（手前側端面）の位置決め部としての細長いリブ状の突部２６が設けられている。したがってカード３０は、その側端面を位置決め部２２に押し当て（但し、図５において、右端のカード３０の側端面は内端面２５’に押し当てる）、また下端面を棒体２４や突部２６に押し当てることにより、各載置面２３１〜２３ｎにはそれぞれ２枚ずつカード３０が寝せて載置される。そして捨て部２０上に相隣るカード３０を互いに半分を部分的に重ねて載置並列させた状態で、４人のすべての遊戯者Ｐは、すべての捨て部２０上に捨てられたカード３０の図絵を視認することができる。したがって図１に示すように、カード３０をパイとして使用しながら手軽にマージャンを楽しむことができる。
【産業上の利用可能性】
【００１６】
本発明のカード式マージャン用具は、図絵が描かれたカードと、カードの図絵を遊戯者側に向けてカードを部分的に重ねて起立並列させる起立部と、この起立部の前方にあってカードの図絵を上側にしてカードを部分的に重ねて載置並列させる捨て部とから成り、起立並列及び載置並列の何れの状態においても、図絵を視認できるようにカードに描いたので、マージャンをどこでも手軽に楽しめ、また携行しやすいマージャン用具を実現できる。
【図面の簡単な説明】
【００１７】
【図１】マージャン中の平面図
【図２】起立部の斜視図
【図３】起立部の平面図
【図４】起立部の正面図
【図５】捨て部の斜視図
【図６】捨て部の縦断面図
【図７】捨て部の横断面図
【符号の説明】
【００１８】
１  テーブル（卓）
１０  起立部
１１  台部
１２、１３  起立体
１４、１５、２２、２５’、２６  位置決め部
２０  捨て部
２３（２３１〜２３ｎ）  載置面
３０（３０１〜３０ｎ）  カード
Ｇ  すき間
【図１】
2005230311.tif 000003
【図２】
2005230311.tif 000004
【図３】
2005230311.tif 000005
【図４】
2005230311.tif 000006
【図５】
2005230311.tif 000007
【図６】
2005230311.tif 000008
【図７】
2005230311.tif 000009